(57)【特許請求の範囲】
【請求項１】
天然まつ毛の房毛に繊維を追加するための美容処理用のアセンブリ（５）であって、
-  前記まつ毛に塗布される接着剤組成物（Ａ）と、
-  少なくとも１つの基材（１１、１１ａ、１１ｂ）を含む支持体（１０）、および、前記支持体（１０）によって解放可能に支えられた第１の末端部分（１５）と、前記第１の末端部分（１５）と反対側で、前記まつ毛上に存在する前記接着剤組成物（Ａ）と接触するようにされた第２の末端部分（１６）とを有する繊維（１２）を含む、少なくとも１つのデバイス（１）と、
を含んでなり、
少なくとも１つの前記基材（１１、１１ａ、１１ｂ）が、少なくとも１つの結合剤（１７）を備えた接触面（６）に設けられ、前記繊維（１２）の前記第１の末端部分（１５）が、少なくとも１つの前記結合剤（１７）によって前記支持体（１０）に結合されていることを特徴とする、アセンブリ。
【請求項２】
前記支持体（１０）が、２つの基材（１１ａ、１１ｂ）を含み、前記繊維（１２）が、２つの前記基材（１１ａ、１１ｂ）の間にサンドイッチ断面構成で保持されていることを特徴とする、請求項１に記載のアセンブリ。
【請求項３】
少なくとも１つの前記基材（１１、１１ａ、１１ｂ）が、少なくとも１つの高分子材料、PET または PVCフィルムで作られていることを特徴とする、請求項１または２に記載のアセンブリ。
【請求項４】
少なくとも１つの前記基材（１１、１１ａ、１１ｂ）が、透明材料で作られていることを特徴とする、請求項１から３のいずれか一項に記載のアセンブリ。
【請求項５】
少なくとも１つの前記基材（１１、１１ａ、１１ｂ）が、硬質材料で作られ、曲げ剛性が、Kawabata Evaluation System（KES）で測定される屈曲時の曲げ剛性の平均値に関して、０.１mN・cm２/cmよりも大きいことを特徴とする、請求項１から４のいずれか一項に記載のアセンブリ。
【請求項６】
前記支持体（１０）上に少なくとも１列に配置され得る前記繊維（１２）が、互いに略平行であることを特徴とする、請求項１から５のいずれか一項に記載のアセンブリ。
【請求項７】
前記繊維（１２）が、前記第１の末端部分（１５）とは反対側の第２の末端部分（１６）において、つなぎ部（９）によって束ねられていることを特徴とする、請求項１から６のいずれか一項に記載のアセンブリ。
【請求項８】
前記接着剤組成物（Ａ）が、感圧接着剤の中から、もしくは、アクリルポリマーまたはコポリマーの中から選択された接着材料を含む、或いは、前記接着材料で構成されていることを特徴とする、請求項１から７のいずれか一項に記載のアセンブリ。
【請求項９】
請求項１から８のいずれか一項に記載のアセンブリ（５）を使用して、天然まつ毛の房毛（Ｆ１）に繊維（１２）を追加するための美容処理方法であって、
ａ）少なくとも１つの基材（１１、１１ａ、１１ｂ）を含む支持体（１０）によって解放可能に支えられた第１の末端部分（１５）を有する繊維（１２）を設けるステップと、
ｂ）まつ毛の前記房毛（Ｆ１）の少なくとも一部に接着剤組成物（Ａ）を塗布するステップと、
ｃ）前記第１の末端部分の反対側の、前記繊維（１２）の第２の末端部分（１６）を、まつ毛の前記房毛（Ｆ１）上にある前記接着剤組成物（Ａ）と接触させるステップと、
ｄ）まつ毛の前記房毛（Ｆ１）に接着する前記繊維（１２）を解放するために前記支持体（１０）を移動するステップと、
を含んでなり、
前記繊維（１２）を前記支持体（１０）に保持するための保持力が、前記まつ毛に塗布された前記接着剤組成物（Ａ）に前記繊維（１２）を接着するための接着力よりも低いことを特徴とする、美容処理方法。
【請求項１０】
前記支持体（１０）が、２つの基材（１１ａ、１１ｂ）を含み、前記繊維が、２つの前記基材（１１ａ、１１ｂ）の間にサンドイッチ断面構成で保持され、一方の基材が他方の基材に解放可能に取り付けられ、ステップｄ）において、前記一方の基材が引っ張る動作によって他方の基材から剥がされるように構成されていることを特徴とする、請求項９に記載の美容処理方法。
【請求項１１】
前記接着剤組成物（Ａ）をまつ毛の前記房毛（Ｆ１）の少なくとも一部に塗布するステップｂ）が、まつ毛の上の房毛に対して、その下側で、前記まつ毛の少なくとも根元付近に対して実施されることを特徴とする、請求項９または１０に記載の美容処理方法。
【請求項１２】
ステップｃ）の間、前記繊維（１２）を、前記まつ毛の上の房毛の下側と接触させることを特徴とする、請求項９から１１のいずれか一項に記載の美容処理方法。
【請求項１３】
少なくとも１つの基材（１１ａ、１１ｂ）が、その接触面（６）に、前記繊維（１２）の前記第１の末端部分（１５）を結合するための少なくとも１つの結合剤（１７）が施され、少なくとも１つの前記基材（１１ａ、１１ｂ）の前記接触面（６）が、前記繊維（１２）の少なくとも一部に略平行にされていることを特徴とする、請求項９から１２のいずれか一項に記載の美容処理方法。
【発明の詳細な説明】
【技術分野】
【０００１】
本発明は、天然まつ毛につけまつ毛を追加するためのアセンブリおよび対応する美容処理方法に関する。
【背景技術】
【０００２】
まつ毛のメークアップでは、しばしばマスカラが使用されるが、長くし、カールする効果は、一部の人にとっては十分ではない。マスカラは、通常、目に見えるボリューム効果を与えることができるが、不自然な仕上がりをもたらすことがある。
【０００３】
天然まつ毛の長さ、厚み、および豊かさを増強するために、まつ毛エクステンションおよびつけまつ毛が使用される。つけまつ毛およびまつ毛エクステンションは、まつ毛の自然な仕上がりを維持するためにそれらがもたらす成果に起因して、より一般的になっている。
【０００４】
まつ毛エクステンションをつけるいくつかの方法が行われ得る。主な方法は、エクステンションを形成する繊維をまつ毛ラインに１本ずつ個々に接着させ、それによって繊維が互いにくっつくことを防止するものである。まつ毛エクステンションは、約３〜４週間とどまり得る。
【０００５】
つけまつ毛は、一般的に、１、２日というより短い期間の間、装着されるように設計される。つけまつ毛は、一般的に、繊維のストリップ（strip of fibers）として提示され、繊維のフルストリップまたはハーフストリップまたは房である場合がある。つけまつ毛をつけるために、ストリップは、ストリップの基部か、直接まつ毛の根元のいずれかに接着剤を塗布した後、まつ毛の根元に接着される。
【０００６】
しかしながら、知られているまつ毛エクステンションおよびつけまつ毛は、消費者にとってあまり使いやすくなく、ユーザフレンドリでもない。たとえば、従来のつけまつ毛は、パッケージングから持ち上げ、つけまつ毛の根元に接着剤をつけ、まつ毛の根元をまぶたの縁に非常に正確に置くのに時間がかかる、または骨の折れるものである。使用後、再使用するためにつけまつ毛上の接着剤を取り除くこともまた難しい。時には、残留接着剤が残り、これは衛生上の観点から良くない。皮膚（まぶた）への接着剤の塗布は、安全性の観点からまつ毛への塗布よりも悪い。
【０００７】
さらに、使用される接着剤の多くは、安全性の観点から良くないシアノアクリレートである。加えて、まつ毛エクステンションをつけることは、高い費用で、専門家によって行われる必要があり、通常１〜２時間かかる。それはほぼ１カ月間持つので、人々は希望するときにそれを取り除くことができない。
【０００８】
米国特許出願公開第２０１６／０２６４３３４号明細書（特許文献１）は、つけまつ毛の品質、外観、および完全性を維持するためにつけまつ毛との接触が最小限に抑えられる、少なくとも１つのつけまつ毛用のパッケージングを提供する。
【０００９】
残っている問題は、安全性および衛生上良好でありながら、より速く、容易な方法でつけまつ毛およびまつ毛エクステンションによってもたらされる成果などの、目に見える成果から恩恵を受けることである。
【先行技術文献】
【特許文献】
【００１０】
【特許文献１】米国特許出願公開第２０１６／０２６４３３４号明細書
【特許文献２】国際公開第０４／０５５０８１号
【特許文献３】国際公開第２０１５／０９１５１３号
【特許文献４】米国特許第３６９１１４０号明細書
【非特許文献】
【００１１】
【非特許文献１】「Handbook of Pressure Sensitive Adhesive Technology」3rd edition、D. Satas
【発明の概要】
【発明が解決しようとする課題】
【００１２】
したがって、天然まつ毛に知覚できるボリューム効果、伸長効果および／またはカール効果を与えるために天然まつ毛につけまつ毛を追加することによるまつ毛美容処理のためのアセンブリおよび方法、良好な衛生状態で可能ならばそれ自体で迅速、容易、安全に行うことができる方法から、恩恵を受ける必要がある。
【課題を解決するための手段】
【００１３】
アセンブリ
本発明は、この要求に応えることを目標とし、それの態様の１つにより、天然まつ毛の房毛（fringe）に繊維を追加するためのアセンブリによってこれを達成し、このアセンブリは、
-  まつ毛に塗布される接着剤組成物と、
-  少なくとも１つの基材を含む支持体、および支持体によって解放可能に支えられた第１の末端部分を有する繊維を含む少なくとも１つのデバイスと
を含む。
【００１４】
本発明によるアセンブリは、まつ毛と繊維が美しく揃うこと、まつ毛の視認できる伸長およびボリュームを伴うつけまつ毛効果を作り出す可能性を与える。実際、少なくとも１つのデバイスは、人のまつ毛に近づくように構成され、まつ毛に接着剤組成物を塗布した後、繊維、特に繊維の第２の末端部分をまつ毛と接触させるようにする。次いで支持体は、取り除かれてもよく、繊維の少なくとも一部がまつ毛に残るようにする。
【００１５】
繊維の第１の末端部分は、好ましくは支持体によって平らに支えられる。
【００１６】
支持体の少なくとも１つの基材が、それの接触面に、繊維を結合するための、好ましくは繊維の第１の末端部分を結合するための、少なくとも１つの結合剤を施されてもよい。
【００１７】
支持体は、好ましくは２つの基材、具体的には１つの下の基材および１つの上の基材と、上記２つの基材の間にサンドイッチ断面の構成で保持される繊維とを含む。
【００１８】
デバイスの少なくとも１つの基材、好ましくは下の基材は、繊維を持ち上げることによって繊維をつける際に押す力を発揮するためにいくらかの硬さを有してもよい。基材の少なくとも１つ、好ましくは下の基材は、ユーザが、取り付けられる繊維の部分を見ることができるように透明である。下の基材は、繊維をまつ毛につけるためにデバイスを使用中に著しく曲がらないように十分に硬質の材料で作られてもよい。下の部分は、繊維をまつ毛まで持ち上げるために、支持する部分の第２の末端部の方向に、より厚くおよび／またはより幅広くてもよい。
【００１９】
「下の基材」は、繊維をつけるためにデバイスが使用されるとき、「上の基材」および繊維の下にある支持体の部分を示す。
【００２０】
デバイスの少なくとも１つの基材、具体的には下の基材は、好ましくは少なくとも１つの高分子材料、好ましくはPETまたはPVCフィルムで作られる。
【００２１】
少なくとも１つの基材、具体的には下の基材は、好ましくは少なくとも部分的に透明材料で作られる。「透明材料」は、具体的には取り付けられる繊維の配置のために、ユーザが基材を通して繊維を見ることができるようにする材料を意味する。
【００２２】
少なくとも１つの基材、具体的には下の基材は、硬質材料で作られてもよい。下の基材の曲げ剛性は、Kawabata Evaluation System（KES）で測定される屈曲時の曲げ剛性の平均値に関して、好ましくは０.１mN・cm２/cm、より好ましくは０.５mN・cm２/cmよりも大きい。
【００２３】
上の基材および下の基材は、好ましくは異なる材料で作られる。上の基材は、不透明材料で作られてもよい。上の基材は、可撓性材料で作られてもよく、この材料は、下の基材の硬度よりも低い硬度であってもよい。
【００２４】
一実施形態では、上の基材および下の基材は、同じ形状を示さない。具体的には、下の基材の一部分が、上の基材によって覆われ、下の基材の上記部分は覆われている部分であってもよく、下の基材の別の部分が、上の基材によって覆われず、下の基材の上記別の部分は覆われていない部分であってもよい。覆われていない部分は、繊維の一部分、好ましくは、支持体に結合されない、繊維の第２の末端部分の下に少なくとも部分的に広がってもよい。覆われていない部分は、外向きの凹形状を有する自由端を示してもよい。この外向きの凹形状は、まぶたの凸形状と実質的に同様の湾曲を示してもよい。
【００２５】
別の実施形態では、上の基材および下の基材は、同じ寸法を示し、正確に重なる。
【００２６】
一実施形態では、下の基材は、少なくとも繊維および上の基材と接触している平らな表面を示す。下の基材は、平らな基材であってもよい。別の実施形態では、少なくともデバイスにおいて繊維および上の基材と接触している表面は、安静時に平らではなく湾曲している。
【００２７】
少なくとも上の基材は、少なくとも１つの結合剤を含む接触面を設けられてもよい。この場合、上の基材の接触面は、デバイスにおいて繊維および下の基材に面し、内側表面を構成する。下の基材、具体的にはデバイスにおいて繊維および上の基材と接触している表面は、結合剤を含まなくてもよい。上の基材の接触面上の少なくとも１つの結合剤は、下の基材、繊維、および上の基材の間に、取り外し可能な固定部（removable fixation）をもたらしてもよい。
【００２８】
支持体は、少なくとも１つの把持部分（gripping portion）を含んでもよい。把持部分は、ユーザが具体的には親指と人差し指との間で支持体をつかみ、扱うことができるようにする。把持部分は、繊維で覆われていない、または繊維を保持していない支持体の一部分で作られてもよい。支持体の把持部分は、互いに接触している、上の基材の一部分および下の基材の一部分を含んでもよく、上記一部分には互いの間に実質的に繊維がない。
【００２９】
「接着剤」組成物は、長持ちする接着強度の有無にかかわらず、剥ぎ取られないよう耐えることができるどんな材料も示す。
【００３０】
好ましくは、繊維は、支持体上に少なくとも１列に配置され、繊維は、好ましくは互いに実質的に平行である。
【００３１】
繊維は、好ましくは、第１の末端部分とは反対側の第２の末端部分において、つなぎ部（link）によって束ねられる。そのような場合、繊維およびつなぎ部は、つけまつ毛を構成し得る。つなぎ部は、ワイヤまたはバンドであってもよい。繊維は、有利には、つなぎ部に実質的に垂直に繊維の第１の末端部で連結される。
【００３２】
繊維は、繊維の帯または繊維の房として配置されてもよい。
【００３３】
繊維の少なくとも１列中の繊維は、天然まつ毛の房毛のように湾曲していてもよい。少なくとも１列は、まつ毛の房毛の長さに実質的に等しい長さを有してもよく、またはより短くてもよい。代替として、少なくとも１列は、繊維の少なくとも１房を形成してもよい。繊維は、少なくとも１列内で規則正しく配置されてもよく、されなくてもよい。たとえば、まつ毛により高い密度の繊維を与えるために、繊維の複数の平行な列があってもよい。
【００３４】
「実質的に平行な」によって、繊維は、平行であるか、知られているつけまつ毛の場合のように互いの間に小角度を示す場合があると理解されたい。
【００３５】
アセンブリは、接着剤組成物、およびまつ毛の２つの房毛を処理するための上記少なくとも１つのデバイス、より良くは少なくとも２つのデバイスを入れるためのパッケージングを含んでもよい。少なくとも１つのデバイスは、好ましくはパッケージングから完全に取り外し可能である。
【００３６】
本発明は、その態様の別のものによれば、上記の全部または一部と組み合わせて、天然まつ毛の房毛に繊維を追加するためのアセンブリであって、
-  まつ毛に塗布される接着剤組成物と、
-  支持体、および支持体によって解放可能に支えられた第１の末端部分を有する繊維を含む少なくとも１つのデバイスであって、繊維が、第１の末端部分とは反対側の第２の末端部分において、つなぎ部によって束ねられる、少なくとも１つのデバイスと
を含む、アセンブリにもまた関する。
【００３７】
美容処理方法
本発明はまた、上記の全部または一部と組み合わせた、その態様の別のものによれば、特に上記で定義したアセンブリを使用して、天然まつ毛の房毛に繊維を追加するための美容処理方法であって、
ａ）少なくとも１つの基材を含む支持体によって解放可能に支えられた第１の末端部分を有する繊維を提供するステップであって、特に上記で定義したアセンブリを提供する、ステップと、
ｂ）まつ毛の房毛の少なくとも一部に接着剤組成物を塗布するステップと、
ｃ）第１の末端部分の反対側の、繊維の第２の末端部分を、まつ毛の上記房毛上にある上記接着剤組成物と接触させるステップと、
ｄ）まつ毛の上記房毛に接着する繊維を解放するために支持体を離すステップと
を含む、美容処理方法に関する。
【００３８】
本発明による方法は、まつ毛と繊維が美しく揃うこと、まつ毛の視認できる伸長およびボリュームを伴う、つけまつ毛効果を作り出すことを可能にする。
【００３９】
この方法は、美容センターまたは自宅で実施され得る。
【００４０】
繊維は、容易な仕草で、たとえば、１分以上の場合、１０分未満の時間で、まつ毛につけられてもよい。
【００４１】
さらに、支持体に解放可能に取り付けることにより、ピンセットによってまたは指によって繊維を持ち上げる必要がない。支持体は、実際にはピンセットとは異なる。
【００４２】
一実施形態では、支持体は、１つの基材を含み、繊維は基材の表面に保持され、繊維は、好ましくは支持体によって平らに、すなわちそれの接触面に平行に、支えられる。別の実施形態では、支持体は、２つの基材、具体的には１つの下の基材および１つの上の基材を含み、繊維は、上記２つの基材の間にサンドイッチ断面の構成で保持される。
【００４３】
接着剤組成物は、ステップｂ）において、部分的にまたはまつ毛の全範囲に、まつ毛の根元からまつ毛の長さ全体にわたってまつ毛に塗布され得る。
【００４４】
接着剤組成物をまつ毛の房毛の少なくとも一部に塗布するステップｂ）は、好ましくは、天然まつ毛の上の房毛（upper fringe）に対してそれの下側に、好ましくはまつ毛の少なくとも根元付近に実施される。ステップc）の間、繊維を、まつ毛の上の房毛の下側と接触させてもよい。
【００４５】
ステップｃ）は、繊維、特にそれの第２の末端部分を、まつ毛の上の房毛の下側部分と接触させることによって行われてもよく、ある場合は、つなぎ部は、まぶたのまつ毛の根元によって定められる弧に実質的に平行である。
【００４６】
ステップｂ）は、支持体を持つことによって実施される。したがって、ステップｃ）の間、ユーザは、たとえばユーザの指を使って、親指と人差し指の間で支持体を持つ。ユーザは、繊維を持つためにピンセットを使用する必要がなく、繊維に触れる必要もない。
【００４７】
支持体は、有利には、繊維を結合するための、好ましくは繊維の第１の末端部分を結合するための、少なくとも１つの結合剤をそれの接触面に施された少なくとも１つの基材を含む。
【００４８】
好ましい特定の実施形態では、支持体は、２つの基材、具体的には下の基材および上の基材を含み、それらの各々でない場合は、少なくとも１つが、接触面に少なくとも１つの結合剤を施され、繊維が、２つの基材の間に保持され、好ましくは繊維の第１の末端部分が、少なくとも１つの結合剤により基材の接触面に結合される。これは、サンドイッチ断面の構成であってもよく、繊維は２つの基材の間に保持される。
【００４９】
支持体が少なくとも１つの把持部分を含むとき、それは透明であってもよい。把持部分は、好ましくは硬質シートを含む。把持部分の曲げ剛性は、Kawabata Evaluation System（KES）で測定される屈曲時の曲げ剛性の平均値に関して、好ましくは０.１mN・cm２/cm、より好ましくは０.５mN・cm２/cmよりも大きい。把持部分では、任意の種類の材料および厚さが、上記の曲げ剛性の範囲で使用されてもよい。把持部分が透明な硬質シートであるとき、それによりユーザは繊維をまつ毛上に正確に配置できるようになる。実際に、把持部分の透明性により、ユーザはステップc）を実施するとき、はっきり見ることができるようになる。把持部分の硬度は、繊維をすばやく移すための十分な押す力を与える。
【００５０】
支持体は、衛生のために使い捨て用であってもよく、また再使用可能であってもよい。再使用可能の場合、基材は、水に強い/耐久性があるものであり、好ましくはPET、PVCであってもよい。
【００５１】
繊維の第１の末端部分は、好ましくは支持体に対して、特に基材の接触面に対して、平らに結合される。そのような場合、基材の接触面と接触している繊維の長さは、０.１ｍｍ〜１０ｍｍ、より良くは０.５ｍｍ〜７ｍｍ、さらに良くは０.５ｍｍ〜３ｍｍの範囲に含まれてもよい。一実施形態では、繊維の全長が、支持体に結合される。
【００５２】
繊維を支持体に保持するための保持力は、好ましくは、まつ毛に塗布された接着剤組成物に繊維を接着するための接着力よりも低い。
【００５３】
具体的には、繊維を支持体に保持するための少なくとも１つの結合剤の接着力は、有利には、まつ毛に塗布された接着剤組成物に繊維を接着するための接着力よりも低い。接着剤組成物に繊維を接着するための接着力は、好ましくは、支持体に繊維を保持するための結合剤の接着力の少なくとも２倍である。
【００５４】
少なくとも１つの基材の接触面は、好ましくは、繊維の少なくとも一部に実質的に平行である。繊維は少なくとも部分的に湾曲している場合があることに留意されたい。後者の場合、接触面もまた、少なくとも部分的に湾曲している場合がある。
【００５５】
一方の基材は、他方の基材に解放可能に取り付けられてもよい。ステップd）において、一方の基材が、引っ張る動作によって他方の基材から剥がされるように構成されてもよい。
【００５６】
本発明はまた、上記の全部または一部と組み合わせた、その態様の別のものによれば、特に上記で定義したアセンブリを使用して、天然まつ毛の房毛に繊維を追加するための美容処理方法であって、
a）支持体によって解放可能に支えられた第１の末端部分を有する繊維を提供するステップであって、繊維が第１の末端部分とは反対側の第２の末端部分において、つなぎ部によって束ねられ、特に上記で定義したアセンブリを提供する、ステップと、
b）まつ毛の房毛の少なくとも一部に接着剤組成物を塗布するステップと、
c）繊維の第２の末端部分を、まつ毛の上記房毛上にある上記接着剤組成物と接触させるステップと、
d）まつ毛の上記房毛に接着する繊維を解放するために支持体を離すステップと
を含む、美容処理方法に関する。
【００５７】
繊維
「繊維」という用語は、本発明によれば、ＬがＤよりも大きく、好ましくはＤよりもはるかに大きいような、長さＬおよび直径Ｄの物体を意味すると理解されるべきであり、Ｄは繊維の断面を内接させる円の直径である。具体的には、Ｌ/Ｄ比（またはアスペクト比）は、３.５〜２５００、好ましくは１０〜１０００、さらに良くは２０〜５００の範囲で選ばれる。
【００５８】
本発明で使用することができる繊維は、合成または天然、および鉱物または有機由来の繊維であってもよい。繊維は、短くても長くても、個別でも組織化されていても、たとえば編まれていてもよく、中空でも中実であってもよい。繊維は、任意の形状を有してもよく、たとえば、湾曲していても、真っ直ぐであってもよい。繊維は、特に円形または多角形（四角形、六角形、もしくは八角形）の断面を有してもよい。具体的には、繊維の末端部は、損傷を防ぐために鈍らせても、および／または滑らかにしてもよい。
【００５９】
具体的には、繊維は、２ｍｍ〜２０ｍｍの範囲の長さを有してもよい。
【００６０】
繊維の断面は、２０〜１５０μm、３０〜１２０μm、さらに良くは４０〜１２０μmの範囲であってもよい。
【００６１】
繊維の重さまたは番手は、しばしば、デニールまたはデシテックスで与えられ、糸９km当たりの重さをグラムで表す。本発明による繊維は、たとえば、０.１〜１００デニール、好ましくは１〜７０デニール、さらに良くは５〜６０デニールの範囲で選択される番手を有する。
【００６２】
繊維は、織物の製造に使用される繊維であってもよく、特に、絹繊維、綿繊維、ウール繊維、亜麻繊維、具体的には木材、野菜、もしくは藻類から抽出されるセルロース繊維、レーヨン繊維、ポリアミド（Nylon（登録商標））繊維、ビスコース繊維、アセテート繊維、特にレーヨンアセテート繊維、アクリルポリマー繊維、特にポリメタクリル酸メチル繊維もしくはポリ（メタクリル酸２-ヒドロキシエチル）繊維、ポリオレフィン繊維、および特にポリエチレンもしくはポリプロピレン繊維、ポリエチレンテレフタレート（PET）繊維、ポリブチレンテレフタレート（PBT）繊維、ガラス繊維、シリカ繊維、炭素繊維、特に黒鉛形状の炭素の繊維、ポリテトラフルオロエチレン（Teflon（登録商標）など）繊維、不溶性コラーゲン繊維、ポリエステル繊維、ポリ塩化ビニル繊維もしくはポリ塩化ビニリデン繊維、ポリビニルアルコール繊維、ポリアクリロニトリル繊維、キトサン繊維、ポリウレタン繊維、ポリエチレンフタレート繊維、人毛、または上述のポリマーなどのポリマーの混合物から形成される繊維、たとえば、ポリアミド/ポリエステル繊維であってもよい。
【００６３】
繊維は、人毛であってもよい。
【００６４】
さらに、繊維は、場合によっては表面処理され、場合によっては、保護層または繊維に色を与えることを目的とする層をコーティングされてもよい。
【００６５】
「カネカロン（Kanekalon）」というブランドの難燃性アクリル繊維を使用してもよい。
【００６６】
繊維は、たとえば、Minke-props SKINTEX Flock ref. 590502という参照名の下で販売される繊維である。
【００６７】
同一の繊維、または変形態として、長さ、材料、形状、および/もしくは断面が互いに異なる繊維の混合物を使用することが可能である。様々な長さの繊維の使用は、より自然らしさを与え得る。色の混合も同様であり得る。特定の実施形態では、支持体によって支えられる繊維は、互いに色が異なる。繊維の色は、系統的に、またはランダムに、混合されてもよい。これは、まつ毛に新しい美的効果を作り出すことができる。
【００６８】
つなぎ部
つなぎ部は、一実施形態では、繊維をそれの第２の末端部分で束ねるために使用される。
【００６９】
つなぎ部は、繊維の１つと同じ材料で作られてもよい。
【００７０】
つなぎ部は、ある場合は、繊維の少なくとも１列の長さに等しい長さを有してもよい。
【００７１】
つなぎ部は、無色、透明であってもよく、または黒色、白色であってもよく、または黄色、赤色、青色、緑色、桃色、紫色などの色、もしくは別の色を有する。つなぎ部は、繊維または繊維の一部と同じ色または別の色を有してもよい。自然な仕上がりには、透明なつなぎ部が好ましい。
【００７２】
つなぎ部は、繊維に、好ましくは繊維の第２の末端部に、接着剤によってまたは編むことによって、固定されてもよい。
【００７３】
接着剤組成物
本発明による接着剤組成物は、まつ毛およびまぶたへの塗布に、および化粧用途に好適である。
【００７４】
接着剤組成物は、接着材料を含む、またはそれで構成される。
【００７５】
本発明では、「材料」という用語は、異なる性質の１つまたは複数のポリマーを含む場合があるポリマーまたはポリマー系を意味する。この接着材料は、高分子溶液または溶剤中のポリマー粒子の分散の形態であってもよい。この接着材料は、追加として可塑剤を含んでもよい。この接着材料は、その粘弾性特性によって定義されるいくらかの粘着性を有する必要がある。
【００７６】
本発明による接着材料は、たとえば、感圧接着剤、たとえば「Handbook of Pressure Sensitive Adhesive Technology」3rd edition、D. Satasにおいて引用される感圧接着剤の中から選ばれてもよい。
【００７７】
接着材料は、アクリルポリマーまたはコポリマーの中から選ばれてもよい。
【００７８】
感圧接着材料は、アクリルポリマー、特にアクリレートおよびメタクリル酸塩のコポリマー、ゴムをベースとする、またはスチレンコポリマー、たとえばスチレン-イソプレン-スチレン（SIS）およびスチレン-ブタジエン-スチレン（SBS）コポリマーをベースとする感圧接着剤から選ばれてもよい。
【００７９】
感圧接着材料はまた、ウレタンポリマー、ポリウレタン、Bio-PSAなどのシリコーン、エチレン/酢酸ビニルポリマー、スチレンまたは天然ゴム、クロロプレン、ブタジエン、イソプレン、ネオプレンなどをベースとするブロックコポリマーであってもよい。
【００８０】
ゴム状ポリマーをベースとする感圧接着剤の非限定的な例として、特に、天然ゴム（ポリ（シス-１,４-イソプレン））、メタクリル酸メチル-イソプレングラフトコポリマー、スチレン-ブタジエンコポリマー、ブチルゴム、アクリロニトリル-ブタジエンゴム、スチレン-イソプレンブロックコポリマー、ポリブタジエン、エチレン-ブチレンブロックコポリマー、およびポリクロロプレンが言及され得る。
【００８１】
極性アクリルポリマーを含む感圧接着剤のうち、アクリル酸、アクリル酸アルキル、およびメタクリル酸アルキルをベースとするブロックまたは統計コポリマー、ならびに、これらのアクリルとエチレンおよび酢酸ビニルとのコポリマーも言及され得る。
【００８２】
非常に部分的に好適であり得る感圧接着剤の一例は、ポリ（アクリル酸２-エチルヘキシル）であり、たとえば、固形分４０%の１５ミクロンの接着性アクリルマイクロスフェアを含む水分散体として、GEL-TAC 100G（Advanced Polymer International）というブランドで市販されているものである。
【００８３】
好適であり得るアクリルコポリマーの例は、EASTAREZ 2010、2020、および2050（Eastman Chemical Co.）、ACRONAL V210（BASF）、MOWILITH LDM 7255、REVACRYL 491（Clariant）、ならびにFLEXBOND 165（Air Products）というブランドで市販されている。好ましい他のポリマーとして、アクリレーツ/アクリル酸エチルヘキシルコポリマーである、DAITO KASEI KOGYO の Daitosol 5500 GM について言及され得る。接着剤組成物は、たとえば、American International Industriesによって商品化された、DUO（登録商標）と称されるまつ毛用の接着剤組成物、およびDAITO KASEI KOGYO の Daitosol 5500 GM の中から選ばれてもよい。
【００８４】
好適であり得る高分子ゴムの商用例は、RICON 130ポリブタジエン（Atofina Sartomer）、およびISOLENE 40ポリイソプレン（Elementis）というブランドで知られている。
【００８５】
好適であり得るポリウレタンベースの接着剤の例は、SANCURE 2104（Noveon）およびVYLON UR 1400（Toyobo Vylon）というブランドで入手可能である。
【００８６】
好適であり得る酢酸ビニルコポリマーの例は、PVP/VA 6-630（International Specialty Products）およびFLEXBOND 149（Air Products）というブランドで市販されている。
【００８７】
ビニルアルコール/酢酸ビニルコポリマーの例は、CELVOL １０７（Celanese）およびELVANOL 50-42（DuPont）というブランドで市販されている。
【００８８】
少なくとも１つのモノマー、またはその結果として生じるポリマーが、周囲温度（２５℃）よりも低いガラス転移温度を有するモノマーの組合せを含むブロックまたは統計コポリマーにも言及されてもよく、これらのモノマーまたはモノマーの組合せは、場合によっては、ブタジエン、エチレン、プロピレン、イソプレン、イソブチレン、シリコーン、およびこれらの混合物から選ばれる。そのような材料の例は、スチレン-ブタジエン-スチレン、スチレン-（エチレン-ブチレン）-スチレン、またはスチレン-イソプレン-スチレン型のブロックポリマーであり、たとえば、Kratonから「Kraton」、またはDexco Polymersから「Vector」という商標名で販売されているものである。
【００８９】
本発明による接着材料はまた、ロジンまたは水素化ロジン、ロジンエステル、水素化ロジンエステル、などのロジン誘導体、テルペン、脂肪族または芳香族炭化水素ベースの樹脂、フェノール樹脂、スチレン樹脂、およびクマロン-インデン樹脂など、粘着付与樹脂（tackifying resin）を含んでもよい。セラック、サンダラックゴム、ダマール樹脂、エレミゴム、コーパル樹脂、ベンゾイン、およびゴムマスティック（gum mastic）などの化合物もまた言及される。
【００９０】
架橋ポリオルガノシロキサンポリマーであるシリコーン樹脂もまた言及され得る。
【００９１】
シリコーン樹脂の命名法は、「MDTQ」という名称で知られており、樹脂は、それが含む様々なシロキサンモノマー単位に応じて記述され、M、D、T、およびQの各々が、単位のタイプを特徴づける。
【００９２】
これらの樹脂のうち、特に、化学式 [(CH３)３XSiXO]xX(SiO４/２)y（MQ単位）の、ここで x および y は５０〜８０の範囲の整数である、トリメチルシロキシケイ酸であってもよい、シロキシケイ酸樹脂と、NADとして知られる、ポリマー粒子の非水分散の形態の脂質分散性（lipodispersible）皮膜形成ポリマーとに言及され得る。
【００９３】
疎水性皮膜形成ポリマーの非水分散として、グラフト化エチレンポリマー、好ましくはアクリルポリマーの粒子の分散が、液体油相（liquid oily phase）において、たとえば液体脂肪相（liquid fatty phase）において、表面安定化された粒子の分散された形態で、使用され得る。
【００９４】
表面安定化ポリマー粒子の分散は、国際公開第０４／０５５０８１号において説明されているように製造され得る。
【００９５】
文書WO ２０１５/０９１５１３において説明されているように、アクリル（メタクリル）酸イソボルニル（isobornyl (meth) acrylate）ポリマーから選ばれた安定剤によって安定化されたC１〜C４アクリル（メタクリル）酸アルキル（alkyl (meth) acrylate）ポリマー粒子の分散もまた言及され得る。
【００９６】
UV反応型接着剤もまた使用され得る。
【００９７】
例では、Pros-Aide（アクリルラテックス）Cream Blend 331 Adhesive、またはAQ1350 Eastman Chemical（スルホポリエステル可溶性ポリマー）接着剤が使用される。
【００９８】
接着剤組成物は、まつ毛に連続膜として塗布され得る。
【００９９】
変形態では、接着剤組成物は、接着エリア間に非接着エリアを作ることによって塗布され、これは、まつ毛に取り付けられたままの繊維の密度および分布をコントロールする。
【０１００】
まつ毛に接着剤組成物を移すアプリケータが使用され得る。
【０１０１】
上記の接着剤組成物は、まつ毛に塗布されるものである。接着剤組成物はまた、ある場合は、支持体の基材の接触面の少なくとも一部を形成してもよい。そのような場合、接着剤組成物に繊維を接着するための接着力は、好ましくは、支持体に繊維を保持するための接着剤組成物の接着力よりも、たとえば少なくとも２倍高い。さらにこの場合、基材の接触面の接着剤組成物およびまつ毛に塗布されるための接着剤組成物は、そのような前提条件を考慮して選ばれる。
【０１０２】
結合剤
結合剤は、たとえば、上記のような感圧材料であってもよく、またはこれを含んでもよい。結合剤は、有利には、繊維を支持体上に保持するための少なくとも１つの結合剤の接着力が、まつ毛に塗布された接着剤組成物に繊維を接着するための接着力よりも低いように選ばれる。接着力のそのような範囲において、任意の種類の接着剤を使用してもよい。例では、US ３６９１１４０Ａにおいて説明されるアクリルポリマー、またはSUMITOMO-3M製のScotch Color Stick Adhesiveが使用される。結合剤はまた、好ましくは感圧接着剤であってもよい。
【０１０３】
本発明は、その非限定的例示的実施形態の次の詳細な説明を読むことにより、また添付図面を調べることにより、よりよく理解できよう。
【図面の簡単な説明】
【０１０４】
【図１】本発明によるアセンブリの一例を概略的に示す図である。
【図２】本発明によるアセンブリのデバイスの一例を断面で概略的に示す図である。
【図３】図２のデバイスを概略的かつ全体的に示す図である。
【図４】本発明による方法の１つのステップを実施中の天然まつ毛の概略図である。
【図５】本発明による方法の別のステップを実施中の図４と同様の図である。
【図６】本発明による方法を実施後の目に対する、処理されていない他方の目の比較例を示すための人の両目の写真である。
【図７】本発明によるアセンブリのデバイスの別の例の概略上面図である。
【図８】図７のデバイスの全体的な概略図である。
【発明を実施するための形態】
【０１０５】
本発明による美容処理方法は、本発明による、図１に示す、「キット」とも呼ばれるアセンブリ５の助けにより実施され得る。
【０１０６】
アセンブリ５は、容器１３に入れられた接着剤組成物Ａと、支持体１０によって支えられたつけまつ毛８を含む少なくとも１つのデバイス１とを含む。つけまつ毛８は、この例では繊維１２を含み、繊維１２は、一列に配置され、この例ではつなぎ部９によって連結されている。各繊維１２が、第１の末端部分１５と、第２の末端部分１６とを有し、繊維１２は、第２の末端部分１６でつなぎ部９によって束ねられ、つなぎ部９はこの例ではワイヤである。繊維１２の第１の末端部分１５は、支持体１０によって留められている。
【０１０７】
図１の例では、支持体１０は、つけまつ毛８を解放可能に結合するために、結合剤１７とのそれの接触面６の少なくとも１つのゾーン７に設けられた紙などの少なくとも１つの繊維性材料によって形成された基材１１を含む。少なくとも１つのゾーン７は、結合面を形成する。結合剤１７は、接着剤組成物Ａよりも弱い接着力を有する。
【０１０８】
図示の例では、結合剤１７は、感圧材料を含む。
【０１０９】
支持体１０はまた、把持部分１８を設けられ、把持部分１８は図示以外の他の形状を有する場合がある。この例では一列に配置されている繊維１２は、それの第１の末端部分１５で支持体１０に結合され、基材の接触面６は、繊維に実質的に平行である。繊維１２は、基材に対して平らに、すなわちそれに平行に結合される。この例では約３ｍｍ〜５ｍｍの長さを有する繊維１２の第１の末端部分１５のみが、基材１１に結合される。
【０１１０】
容器１３は、ねじ山付きネック２１と、ねじ山付きネック２１と連携することによって容器１３を閉じるためのキャップ２５とを含み、キャップ２５は、接着剤アプリケータ２６を支持している。接着剤アプリケータ２６は、シャフト２７と、自由端にある塗布要素２８とを含む。拭き取り要素２９が、この例では、ネック２１の内側にはまる。塗布要素２８は、フロック加工された支持体であってもよい。塗布要素２８は、たとえば、本発明による方法で使用されるために拭き取り要素２９を通過する前に、容器１３内の接着剤組成物Ａを装填される。塗布要素２８は、図示していない別の実施形態では、たとえば、マスカラブラシと同様のブラシである。
【０１１１】
接着剤組成物Ａは、たとえば、American International Industriesによって商品化されたDUO（登録商標）と称されるまつ毛用の接着剤組成物、および DAITO KASEI KOGYO のDaitosol 5500 GM の中から選ばれてもよい。別の便利な接着剤組成物が使用される場合もある。
【０１１２】
アセンブリ５は、この例では、図１に点線で示すように、同じパッケージング３０に入れられる。パッケージング３０には、１つまたは複数のデバイス１、特に両方のまつ毛用の２つのデバイス１（図１には１つのみが示される）があってもよい。
【０１１３】
図２に示す例にあるように、繊維１２は、２つの基材１１ａおよび１１ｂの間にそれらの第１の末端部分１５で保持され、２つの基材１１ａおよび１１ｂは、接触面６のゾーン７が、結合剤１７で部分的に覆われている。この例では、支持体１０は、上の基材１１ａと、下の基材１１ｂとを含む。基材１１ａおよび１１ｂは、この例では形状および材料が同様である。基材１１ａおよび１１ｂは、紙などの、少なくとも１つの繊維性材料によって形成される。基材１１ａおよび１１ｂは、完全に重なり合う。支持体１０と、つけまつ毛８とを含むこのデバイス１はまた、本発明の方法により使用される状態で、図３に示されている。
【０１１４】
方法の第１のステップは、図３に示すように、デバイス１、すなわち、つけまつ毛８を形成する繊維１２およびつなぎ部９と、支持体１０とを提供することである。
【０１１５】
本発明による美容処理方法の第２のステップは、図４に示され、天然まつ毛の房毛Ｆ１の少なくとも一部に接着剤組成物Ａを塗布することにある。接着剤組成物Ａを装填された塗布要素２８は、図のように、天然まつ毛の上の房毛Ｆ１のそれの下側に、少なくともまつ毛の根元付近に塗布される。
【０１１６】
次いで、図５に示すように、方法の次のステップは、繊維１２を、天然まつ毛上にある接着剤組成物Ａと接触させることにある。このステップの間、繊維１２の第２の末端部分１６およびつなぎ部９を、まつ毛の上の房毛Ｆ１の下側と接触させる。このステップにおいて、繊維１２、つなぎ部９、および支持体１０とともにデバイス１全体がパッケージング３０から取り除かれ、目の近くに持って行かれる。ユーザは、把持部分１８でユーザの指の２本の間に、たとえば、図５に示すように親指と人差し指との間に支持体１０を持つ。
【０１１７】
次のステップにおいて、天然まつ毛の上記房毛Ｆ１に接着する繊維１２を解放するために、支持体１０は、繊維１２から離される。繊維１２を支持体１０に保持するための接着力は、まつ毛に塗布された接着剤組成物Ａに繊維１２を接着するための接着力よりも低い。
【０１１８】
支持体１０を取り除く前に、デバイス１は、数秒または数分間、たとえば、１〜１０分間、まつ毛にある接着組成物Ａと接触して維持されてもよい。
【０１１９】
支持体１０を取り除くために、上の基材１１ａおよび下の基材１１ｂは、繊維１２から連続して取り除かれる。上の基材１１ａは、最初にまたは次に取り除かれてもよい。一方の基材、この例では上の基材１１ａが、他方、この例では下の基材１１ｂに、解放可能に取り付けられる。一方の基材、この例では上の基材１１ａが、他方、この例では下の基材１１ｂから、引っ張る動作によって剥がされるように構成される。
【０１２０】
取り除かれると、支持体１０は、この例では再使用可能ではなく、捨てられる。
【０１２１】
人に関する結果は、図６に示される。この写真では、左側の目は、繊維１２を施されているが、右側の目は、未処理である（比較例）。
【０１２２】
図７および図８の実施形態は、デバイス１の別の例を示す。この例では、支持体１０は、やはり上の基材１１ａと、下の基材１１ｂとを含む。これらは、図２および図３にあるように、繊維１２のためのサンドイッチ断面の支持体を形成する。
【０１２３】
この例では、繊維１２は、一列の房４０として配列され、各房４０がいくつかの繊維１２を含む。
【０１２４】
この例では、下の基材１１ｂは、高分子透明フィルム、この例ではPETフィルムで作られる。したがって下の基材１１ｂは、方法の実施中に、ユーザに繊維全体の可視性を与える。下の基材１１ｂはまた、基材からまつ毛に繊維をすばやく移すための十分な押す力を与える、実質的に硬質シートである。
【０１２５】
さらにこの例では、上の基材１１ａのみが、繊維１２および下の基材１１ｂの内側面と接触している接触面６を設けられる。結合材１７は、繊維１２の第１の末端部分１５を、上の基材１１ａおよび下の基材１１ｂから取り外すことを可能にする。
【０１２６】
この実施形態では、上の基材１１ａおよび下の基材１１ｂは、同じ形状を示さない。下の基材１１ｂの覆われている部分４１は、上の基材１１ａによって覆われている。下の基材１１ｂの覆われていない部分４２は、上の基材１１ａによって覆われていない。覆われていない部分４２は、支持体１０に結合されていない、繊維の第２の末端部分１６の下に部分的に広がる。覆われていない部分４２は、この例では外向きの凹形状を有する自由端４３を示す。この外向きの凹形状は、まぶたの凸形状と実質的に同様の湾曲を示す。
【０１２７】
本発明は、示した実施形態に限定されない。
【０１２８】
本発明の変形態では、接着剤組成物Ａを入れる容器１３は、チューブ、瓶、加圧容器、被覆支持体、ポンプ-ディスペンサーボトルまたはポットなどのどんな容器であってもよく、このリストは限定的ではない。
【０１２９】
同じつけまつ毛８の中に、異なる色、形状、材料、長さの繊維１２があってもよい。支持体１０によって支えられた複数の列の繊維１２があってもよい。
【０１３０】
つけまつ毛８は、１つまたは複数の基材によって支えられた繊維１２の一房または繊維のいくつかの房を含んでもよい。つけまつ毛は、まつ毛の房毛よりも短い長さを有してもよい。
【０１３１】
一実施形態では、支持体１０は、最初の使用後に捨てられなくてもよい。そのような場合、支持体１０は、繊維１２を再び保持するために、まつ毛の房毛から繊維１２を取り除いた後に使用されてもよい。その場合このデバイス１は、たとえば、それをもう一度使用する前に、パッケージング３０に置かれてもよい。
【符号の説明】
【０１３２】
１  デバイス
５  アセンブリ
６  接触面
７  ゾーン
８  つけまつ毛
９  つなぎ部
１０  支持体
１１  基材
１１ａ  上の基材
１１ｂ  下の基材
１２  繊維
１３  容器
１５  第１の末端部分
１６  第２の末端部分
１７  結合剤
１８  つかみ部分
２１  ねじ山付きネック
２５  キャップ
２６  接着剤アプリケータ
２７  シャフト
２８  塗布要素
２９  拭き取り要素
３０  パッケージング
４０  房
４１  覆われている部分
４２  覆われていない部分
４３  自由端
Ａ  接着剤組成物
Ｆ１  房毛
【図１】
0006965375.tif 000002
【図２】
0006965375.tif 000003
【図３】
0006965375.tif 000004
【図４】
0006965375.tif 000005
【図５】
0006965375.tif 000006
【図６】
0006965375.tif 000007
【図７】
0006965375.tif 000008
【図８】
0006965375.tif 000009